(57)【要約】      （修正有）【課題】様々な動物に対して電気ショックによる退散効果を与えることができる動物侵入防止用シート材及びそれを用いた動物侵入防止装置を提供する。【解決手段】侵入防止用シート材Ａは、絶縁性繊維材料からなる糸により緯方向が経方向に比べて大きく拡がるようにメッシュ状に編成された地組織１と、該地組織１の経方向に延びるように配列された通電可能な複数の導電糸３と、地組織１に編み込まれて地組織１との間に導電糸３を保持する絶縁性繊維材料からなる編成糸４とを備えている。【選択図】図１
0003172053.tif 000002
【実用新案登録請求の範囲】
【請求項１】
絶縁性繊維材料からなる糸により経方向又は緯方向のいずれか一方の方向が他方の方向に比べて大きく拡がるようにメッシュ状に編成された地組織と、前記地組織の片面側に沿って配列された通電可能な導電糸と、前記地組織に編み込まれて前記地組織との間に前記導電糸を保持する絶縁性繊維材料からなる編成糸とを備えている動物侵入防止用シート材。
【請求項２】
前記導電糸は、前記地組織の他方の方向に延びるように配列されている請求項１に記載の動物侵入防止シート材。
【請求項３】
前記地組織は、絶縁性繊維材料からなる糸により経方向に編成された複数の鎖編列を所定間隔空けて配列するとともに絶縁性繊維材料からなる連結糸を隣接する鎖編列の間に間隔を空けて緯方向に交互に掛け渡してメッシュ状に編成された編成体を有し、前記編成糸は、前記鎖編列の間において緯方向に交互に掛け渡されて前記連結糸との間に前記導電糸を保持する請求項１又は２に記載の動物侵入防止用シート材。
【請求項４】
前記地組織は、前記編成体を二重に重ねた状態で互いの鎖編列を交絡させて一体形成されている請求項３に記載の動物侵入防止用シート材。
【請求項５】
緯方向の引張破断伸度が１３０％〜１５０％であることを特徴とする請求項４に記載の動物侵入防止用シート材。
【請求項６】
請求項１から５のいずれかに記載の動物侵入防止用シート材と、保護地域の周囲に所定間隔を空けて立設されるとともに前記動物侵入防止用シート材を架設する複数の支柱と、前記導電糸に接続して通電状態に設定する電源とを備えている動物侵入防止装置。
【考案の詳細な説明】
【技術分野】
【０００１】
本考案は、農地、果樹園等に出没して農作物に対する食害を引き起こすイノシシ等の有害動物の侵入防止用シート材及びそれを用いた動物侵入防止装置に関する。
【背景技術】
【０００２】
近年、山野に棲息するイノシシ、サル、シカといった野生動物が農村部に出没して農作物を食い荒らす被害が深刻化しており、社会問題となってきている。また、アライグマ、ハクビシン、ヌートリアといった外来動物が野生化して同様の食害が発生しており、こうした有害動物に対する対策が求められている。
【０００３】
食害に対する対策としては、有害動物の駆除と農地等への侵入防止が挙げられるが、侵入防止策としては、農地等の周囲に電気柵を設けることが行われている。電気柵は、間隔を空けて立設した支柱に電線を架設し、電線に高電圧の電流を印加しておく。動物が農地に侵入しようとする際に、動物が電線に触れると電気ショックによる痛みが加えられる。そのため、動物は電気ショックに驚いて農地から退散するようになり、農地への動物の侵入が防止される。
【０００４】
こうした電気柵としては、例えば、特許文献１では、所定間隔に設置した支柱と、支柱に張設された合成樹脂製の網とからなり、網には支柱の長手方向と直交するように電導線が織り込まれて通電するよう構成されている電気柵が記載されている。また、特許文献２では、合成樹脂製繊維からなる撚糸を編成して格子状のネットを構成し、ネットの長手方向に合成樹脂製繊維及び金属製ワイヤーからなる通電可能な撚糸を数本配備した防獣用通電性ネットが記載されている。
【先行技術文献】
【特許文献】
【０００５】
【特許文献１】実開平６−３３４５５号公報
【特許文献２】特開２００２−１６３号公報
【考案の概要】
【考案が解決しようとする課題】
【０００６】
特許文献１及び２に記載されたネット状の電気柵では、網やネットを張設しているため、動物の侵入は防止できるが、電気ショックによる退散効果が得られにくい。例えば、イノシシの場合、前方に突き出た鼻の部分がネットに接触するため、通電されている導線に接触しにくくなる可能性がある。また、電気柵の設置箇所は、山間地や傾斜地の凹凸のある地形の場合が多く、網やネットを張設すると、下側に隙間が生じやすくなる。こうした隙間は、ネットの下端部にアンカーを挿し込んで打ち込むことで生じないようにすることができるが、ネットが下方に引張られて上端部が低くなって動物がネットを飛び越えるおそれが生じる。
【０００７】
そこで、本考案は、様々な動物に対して電気ショックによる退散効果を与えることができる動物侵入防止用シート材及びそれを用いた動物侵入防止装置を提供することを目的とするものである。
【課題を解決するための手段】
【０００８】
本考案に係る動物侵入防止用シート材は、絶縁性繊維材料からなる糸により経方向又は緯方向のいずれか一方の方向が他方の方向に比べて大きく拡がるようにメッシュ状に編成された地組織と、前記地組織の片面側に沿って配列された通電可能な導電糸と、前記地組織に編み込まれて前記地組織との間に前記導電糸を保持する絶縁性繊維材料からなる編成糸とを備えている。さらに、前記導電糸は、前記地組織の他方の方向に延びるように配列されている。さらに、前記地組織は、絶縁性繊維材料からなる糸により経方向に編成された複数の鎖編列を所定間隔空けて配列するとともに絶縁性繊維材料からなる連結糸を隣接する鎖編列の間に間隔を空けて緯方向に交互に掛け渡してメッシュ状に編成された編成体を有し、前記編成糸は、前記鎖編列の間において緯方向に交互に掛け渡されて前記連結糸との間に前記導電糸を保持する。さらに、前記地組織は、前記編成体を二重に重ねた状態で互いの鎖編列を交絡させて一体形成されている。さらに、緯方向の引張破断伸度が１３０％〜１５０％であることを特徴とする。
【０００９】
本考案に係る動物侵入防止装置は、上記の動物侵入防止用シート材と、保護地域の周囲に所定間隔を空けて立設されるとともに前記動物侵入防止用シート材を架設する複数の支柱と、前記導電糸に接続して通電状態に設定する電源とを備えている動物侵入防止装置。
【考案の効果】
【００１０】
本考案は、経方向又は緯方向のいずれか一方の方向が他方の方向に比べて大きく拡がるようにメッシュ状に編成された地組織を備えているので、他方の方向が水平方向となるように動物侵入防止用シート材を設置すれば、鉛直方向が大きく拡がる一方の方向となる。こうして設置された動物侵入防止用シート材に対して動物が押し込むように動作すると、動物侵入防止用シート材が鉛直方向に拡がって動物を包むように湾曲変形し、地組織に対して片面側に沿って配列された導電糸が動物に接近して接触しやすくなる。そのため、侵入しようとする動物に対して確実に電気ショックを与えて退散させることができる。
【００１１】
また、一方の方向に比べて拡がりにくい他方の方向を水平方向に設定することで、動物侵入防止用シート材を水平方向に安定して張設することができる。そして、設置面に凹凸がある場合でも、鉛直方向が拡がりやすい一方の方向に設定すれば、凹凸に合わせて動物侵入防止用シート材の下端を伸ばして設置面との間に隙間なく設置することができる。
【図面の簡単な説明】
【００１２】
【図１】本考案に係る動物侵入防止用シート材に関する平面図である。
【図２】地組織に関する一部拡大平面図である。
【図３】編成体に関する一部拡大平面図である。
【図４】地組織に関する編組織図である。
【図５】地組織に関する別の編組織図である。
【図６】地組織を緯方向に引張った状態を示す模式図である。
【図７】導電糸に関する側面図である。
【図８】導電糸が配列された部分に関する一部拡大図である。
【図９】動物侵入防止用シート材を用いた動物侵入防止装置に関する概略構成図である。
【図１０】動物が侵入しようとした場合に関する説明図である。
【考案を実施するための形態】
【００１３】
以下、本考案について詳しく説明する。図１は、本考案に係る動物侵入防止用シート材に関する平面図である。動物侵入防止用シート材Ａは、メッシュ状の地組織１の両側端部に支持固定用の支持糸２が挿入されており、地組織１には、片面側に沿って所定間隔を空けて複数の導電糸３が配列されている。導電糸３は、地組織１に編み込まれた編成糸４により保持されるようになっている。
【００１４】
図２は、地組織１に関する一部拡大平面図である。地組織１は、経方向に編成された複数の鎖編列１０が所定間隔を空けて配列されており、隣接する鎖編列１０の間には、鎖編列１０に間隔を空けて編み込まれた連結糸１１が緯方向に交互に掛け渡されることでメッシュ状に編成されている。地組織１は、図３に示す編成体１’を二重に重ね合わせて構成されている。そして、編成体１’の鎖編列１０’を互いに交絡させて一体形成して地組織１が構成されており、その際に２つの編成体１’の連結糸１１’は、ずれた位置に設定される。
【００１５】
地組織１を編成する糸は、絶縁性繊維材料からなるものが好ましく、例えば、ＰＥＴ（ポリエチレンテレフタレート）等のポリエステル系繊維、ナイロン（ポリアミド繊維）、アラミド（芳香族ポリアミド繊維）、ポリプロピレン等のポリオレフィン系繊維、アクリル等の合成繊維、ポリ乳酸等の生分解性合成繊維、レーヨン、アセテート等の化学繊維、綿、麻、ウール又は絹等の天然繊維、ガラス、シリカ又はセラミック等の無機繊維が挙げられる。また、これらの繊維を複数種類混合した複合繊維を用いてもよい。そして、モノフィラメント、マルチフィラメント、フラットヤーン、スリットヤーンといった形態の糸を使用することができる。
【００１６】
図４は、地組織１に関する編組織図である。糸Ｌ１及びＬ２によりそれぞれ編成体１’の鎖編列が編成され、糸Ｌ３及びＬ４は鎖編列に編み込まれて隣接する鎖編列の間に交互に掛け渡されてそれぞれメッシュ状の編成体１’が編成されて二重に重ね合わされて一体形成される。また、糸Ｌ５及びＬ６により両側の耳部が編成される。
【００１７】
図５は、地組織１に関する別の編組織図である。図５では、図４と同様の糸を用い、鎖編列の間隔を２倍に拡げたメッシュ状の地組織１が編成されるようになる。
【００１８】
図６は、地組織１を緯方向に引張った状態を示す模式図である。地組織１は、経方向に編成された鎖編列１０が所定間隔を空けて配列され、連結糸１１が所定間隔を空けて鎖編列１０に編み込まれて隣接する鎖編列１０の間に緯方向に交互に掛け渡されてメッシュ状に編成されている（図６（ａ））が、緯方向に引張られると、連結糸１１が鎖編列１０から引き出されて鎖編列１０が経方向に縮んだ状態となって緯方向に伸長した状態となる（図６（ｂ））。緯方向に伸長した状態では、地組織１が編成体を二重に重ね合わせて連結糸１１をずれた位置に設定しているため、連結糸１１が鎖編列１０を引張る位置をずらしてさらに伸長させることができる。こうしたメッシュ状に編成することで、地組織１は、緯方向の引張破断伸度が１３０％〜１５０％にすることができる。そのため、地組織１の緯方向には、大きく拡がるように引き伸ばすことができるが、地組織１の経方向には、鎖編列１０によりほとんど引き伸ばされることがない。
【００１９】
このように、地組織１の緯方向が他方の方向に比べて大きく拡がるようにメッシュ状に編成されているので、後述するように、地組織１のほとんど引き伸ばされない経方向を水平方向となるように支柱に張設すれば、地組織１の緯方向が鉛直方向となって大きく拡がるようになり、侵入しようとする動物に対して包むように湾曲変形して確実に電気ショックを与えることができる。
【００２０】
地組織１としては、経方向又は緯方向のいずれか一方の方向が他方の方向に比べて大きく拡がるようにメッシュ状に編成されていればよく、上述した例に限定されることはない。例えば、編成体１’を二重にせずに一重の状態で用いることができる。こうした経編のメッシュ状の地組織以外にも緯編のメッシュ状の地組織にすることもできる。また、経方向又は緯方向のいずれか一方の方向の糸に伸縮性を有するものを用いたメッシュ状の織物を地組織とすることも可能である。
【００２１】
また、連結糸１１として白色系のスリットヤーンを使用することで、地組織１を通して前方が見えづらくなり、動物が農作物を視認することを妨げることができる。
【００２２】
支持糸２は、地組織１の両側端部において鎖編列１０の間に経方向に沿って連結糸１１と交差するように挿入され、連結糸１１の間に保持されている。編成体１’を二重にして構成する場合には、各編成体１’の連結糸の間に支持糸２を挿入して編成すればよい。支持糸２としては、絶縁性繊維材料からなる撚り糸が好ましく、地組織１を張設するのに必要な高い引張強度を有するものが用いられる。
【００２３】
導電糸３としては、金属繊維からなる糸、金属繊維を芯糸の周囲にカバーリング加工した糸が挙げられるが、カバーリング加工した糸の方が断線しにくく取り扱いが容易である。カバーリング加工した糸は、銅繊維、錫青銅繊維、ステンレス繊維等の金属繊維を芯糸の周囲にカバーリング加工したものが挙げられ、芯糸には絶縁性繊維材料が好ましく、例えば、ＰＥＴ（ポリエチレンテレフタレート）等のポリエステル系繊維、ナイロン（ポリアミド繊維）、アラミド（芳香族ポリアミド繊維）、ポリプロピレン又はポリエチレン等のポリオレフィン系繊維、アクリル等の合成繊維、レーヨン、アセテート等の化学繊維、綿、麻、ウール又は絹等の天然繊維といった繊維材料を用いるとよく、これらの繊維を複数種類混合した複合繊維からなる糸を用いてもよい。
【００２４】
図７は、導電糸３に関する側面図である。導電糸３は、絶縁性繊維材料からなる芯糸３０の周囲に金属繊維３１をカバーリング加工した糸を４本撚り合せて構成されている。導電糸３は、こうした構成を備えているので、糸長方向の引張強度が向上するとともに湾曲変形に対しても耐久性が高く、金属繊維３１が断線することなく安定した通電状態を長期間にわたって維持することができる。
【００２５】
図８は、動物侵入防止用シート材Ａにおける導電糸３が配列された部分に関する一部拡大図である。導電糸３は、鎖編列１０の間に経方向に沿って配列されており、連結糸１１に当接した状態に設定されている。編成糸４は、導電糸３に隣接する両側の鎖編列１０に交互に架け渡されて編み込まれており、導電糸３を連結糸１１と編成糸４との間に保持するようになっている。そのため、導電糸３は、地組織１に編み込まれずに経方向に挿入された状態となっており、鎖編列１０の間において緯方向にずれることが可能となっている。したがって、図６に示すように地組織１が緯方向に拡がるように変形しても導電糸３は鎖編列１０の間に安定した状態で保持される。
【００２６】
編成糸４には、地組織１に用いた糸と同様に絶縁性繊維材料からなる糸が用いられる。導電糸３の露出度を高めるために、導電糸３を保持可能な強度を備えるとともにできるだけ細いモノフィラメントが好ましい。
【００２７】
図９は、動物侵入防止用シート材Ａを用いた動物侵入防止装置に関する概略構成図である。動物侵入防止用シート材Ａは、地組織１の鎖編列が水平方向に設定されるように支柱Ｂに架設される。支柱Ｂは、動物の侵入を防止する保護地域の周囲において地面に打ち込んで立設される。地組織１の上端部に挿入された支持糸２を支柱Ｂの上部に支持固定し、地組織１の下端部に挿入された支持糸２は、地表面に打ち込まれるアンカーピンＣに固定する。このように支持糸２を固定することで、動物侵入防止用シート材Ａの上端部は水平方向に弛むことなく緊張状態で張設され、地表面との間には隙間なく取り付けられる。この場合、地組織１は、緯方向に大きく拡がることができるので、上端部が緊張状態で張設されていても地表面の凹凸に合わせて下端部を引き伸ばして隙間なく設置することができる。そして、導電糸３は、編成糸４が接触する側が外側（動物が侵入する側）となるように設定される。
【００２８】
また、導電糸３は、それぞれ電源１００に接続されて高電圧が印加されて常時通電状態に設定される。導電糸３の高さは、地組織１を適宜引き伸ばして侵入を防止する動物に対応する高さに調整すればよく、設置場所の条件に合わせて容易に設定することができる。
【００２９】
図１０は、動物が侵入しようとした場合に関する説明図である。動物Ｍが侵入しようとして動物侵入防止用シート材Ａを押し込むように動作すると、地組織１が鉛直方向（緯方向）に引き伸ばされるように拡がるが、下端部は支持糸２がアンカーピンＣに固定されて隙間が形成されることはなく、上端部も支持糸２に張設されて引き下げられることはない。そして、地組織１が湾曲変形して動物Ｍを包み込むようになり、導電糸３が動物Ｍに接触しやすくなる。そのため、動物Ｍに対して確実に電気ショックを与えることができる。
【００３０】
以上説明した動物侵入防止装置では、水平方向に複数の導電糸３を配列するようにしているが、設置場所や対象動物に応じて各導電糸３の高さ位置を設定すればよい。導電糸３の高さ位置は、地組織１における配列位置を変更して適宜設定することができる。
【００３１】
また、導電糸３の配列方向を設置場所や対象動物に応じて変更してもよく、例えば鉛直方向又は斜め方向に配列することもでき、水平方向、鉛直方向及び斜め方向を適宜組み合わせて配列することもできる。この場合には、地組織１が鉛直方向に拡がる際に導電糸３が地組織１の片面側に沿って簡単にずれるように編成糸４で保持すれば、容易に対応することができる。
【符号の説明】
【００３２】
Ａ・・・侵入防止用シート材、Ｂ・・・支柱、Ｃ・・・アンカーピン、１・・・地組織、２・・・支持糸、３・・・導電糸、４・・・編成糸、１０・・・鎖編列、１１・・・連結糸
【図１】
0003172053.tif 000003
【図２】
0003172053.tif 000004
【図３】
0003172053.tif 000005
【図４】
0003172053.tif 000006
【図５】
0003172053.tif 000007
【図６】
0003172053.tif 000008
【図７】
0003172053.tif 000009
【図８】
0003172053.tif 000010
【図９】
0003172053.tif 000011
【図１０】
0003172053.tif 000012